(57)【要約】      （修正有）【課題】取っ手を自動回復のない各種の形状に変更可能なシリコンカバーを提供する。【解決手段】シリコンカバーとシリコンカバーに設けられる取っ手及び形状決めストリップを含み、取っ手は指部１１と指部に接続されて掌状をなす手の平部１２を含む。各指部内に１本の形状決めストリップ２が設けられる。何れか１つの指部を屈曲するように動かすことでその内部の形状決めストリップが折り曲げられる。手の平部の底部に接続ボス１３が成形される。シリコンカバーには接続ボスに締結係合されて取っ手をシリコンカバーに固定する凹部３１が開口される。取っ手が掌状をなし且つ屈曲弾性変形可能であるため、掌状の取っ手はユーザの好みに応じて任意に屈曲して各種の形状を作ることができる。取っ手が弾性変形するため、形状決めストリップの塑性変形に合わせれば、取っ手の形状を決めて、取っ手の変形後の復旧を防止できる。【選択図】図２
0003213013.tif 000002
【実用新案登録請求の範囲】
【請求項１】
シリコンカバー（３）と、シリコンカバー（３）に設けられる取っ手（１）および少なくとも１本の形状決めストリップ（２）とを備え、
前記取っ手（１）は、少なくとも１つの指部（１１）と、指部（１１）に接続されて掌状をなす手の平部（１２）とを有し、各前記指部（１１）内に１本の形状決めストリップ（２）がそれぞれ設けられ、
前記何れか１つの指部（１１）を屈曲するように動かすことにより、その内部の形状決めストリップ（２）が折り曲げられ、前記手の平部（１２）の底部には、接続ボス（１３）が成形され、前記シリコンカバー（３）には、前記接続ボス（１３）に締結係合されて取っ手（１）をシリコンカバー（３）に固定するための凹部（３１）が開口されることを特徴とする形状変更可能なシリコンカバー。
【請求項２】
前記シリコンカバー（３）に凹溝（３２）が予め開口され、前記凹溝（３２）の底面に取付ボス（３３）が成形され、前記取付ボス（３３）には、前記接続ボス（１３）に締結係合されて取っ手（１）をシリコンカバー（３）に垂直固定するための凹部（３１）が開口されることを特徴とする請求項１に記載の形状変更可能なシリコンカバー。
【請求項３】
前記シリコンカバー（３）は、シリコンからなることを特徴とする請求項１に記載の形状変更可能なシリコンカバー。
【考案の詳細な説明】
【技術分野】
【０００１】
本考案は、シリコンカバー技術分野に関し、特に形状変更可能なシリコンカバーに関する。
【背景技術】
【０００２】
容器は、品物の盛り付けやインテリアの道具として、既に人々の生活の中で欠かせない生活用品になっている。そして、容器は、主にコップ（カップ）、鍋を含むが、一般的に容器の密封等を実現するためのカバーを備える。そのカバーは、容器や開口物の天井部の遮蔽部品を指し、一般的に円形あるいは四角形をなし、ダストおよび汚染物を遮蔽可能である。従来のカバーの殆どは、ステンレスやガラス等の材料からなるため、重量が大きく、断熱機能を持たない。ユーザがカバーに触れると、やけどになりやすい。そのため、シリコン製のカバーは、徐々に大衆の視野に入ってきており、その軽便さ、漏洩防止、耐高温、断熱の機能が大衆の愛顧を広く受けている。
【０００３】
現在、市場で流通しているシリコン製のカバーは、２種に大別される。第１種は、カバーを持ち上げるために、円ブロックあるいは球形ブロックを取っ手としてカバーに設ける。このようなカバーは、構造が簡単であるが、何の装飾部材も付けず、容器を遮蔽する役割のみを果たすため、カバーの美観度が相対的に低い。第２種は、各種の形状（例えば、花、葉等）の装飾部材を取っ手としてカバーに設けてカバーの美観度を向上させたが、このようなカバーの取っ手のデザインが固定であるため、ユーザの好みに応じて自由に変更することができない。
【考案の概要】
【考案が解決しようとする課題】
【０００４】
従来技術の不足について、本考案の目的は、取っ手の形状が変更可能でありながら美観度が一層高まる、形状変更可能なシリコンカバーを提供することにある。
【課題を解決するための手段】
【０００５】
上記目的を達成するため、本考案の解決手段は、下記のようになる。
【０００６】
形状変更可能なシリコンカバーを提供する。当該形状変更可能なシリコンカバーは、シリコンカバーと、シリコンカバーに設けられる取っ手および少なくとも１本の形状決めストリップとを備える。前記取っ手は、少なくとも１つの指部と、指部に接続されて掌状をなす手の平部とを有する。各前記指部内に１本の形状決めストリップがそれぞれ設けられる。前記何れか１つの指部を屈曲するように動かすことにより、その内部の形状決めストリップが折り曲げられる。前記手の平部の底部には、接続ボスが成形され、前記シリコンカバーには、前記接続ボスに締結（ｆａｓｔｅｎｉｎｇ）係合されて取っ手をシリコンカバーに固定するための凹部が開口される。
【０００７】
さらに、前記シリコンカバーに凹溝が予め開口され、前記凹溝の底面に取付ボスが成形される。前記取付ボスには、前記接続ボスに締結係合されて取っ手をシリコンカバーに垂直固定するための凹部が開口される。
さらに、前記シリコンカバーは、シリコンからなる。
【考案の効果】
【０００８】
本解決手段は、下記の有利な作用効果を有する。変化が多様である。本解決手段における取っ手が掌状をなすとともに屈曲し弾性変形できる。掌状の取っ手がユーザの好みに応じて任意に屈曲して各種の形状を作れる。取っ手が弾性変形するため、本解決手段の形状決めストリップの塑性変形に合わせれば、取っ手の形状決めが可能となり、取っ手の変形後の復旧を防止できる。これにより、ユーザは、取っ手を自動回復のない各種の形状を可能にするとともに、物（例えば、携帯電話）を支持するブラケットも作り出し、取っ手の実用性が向上する。同時に、形状決め機能を有する形状決めストリップが取っ手に覆われ、外面から見られないため、シリコンカバーの美観に影響しない。さらに、本解決手段の取っ手が掌状をなし、装飾効果があり、シリコンカバーの美観度が高まる。また、本解決手段のシリコンカバーがシリコンを採用し、且つシリコンカバーの底面が滑らかで平坦であるため、異なる規格の容器に適用可能であり、用途が広くなる。
【図面の簡単な説明】
【０００９】
【図１】本考案の斜視図である。
【図２】本考案の構造図である。
【図３】本考案のシリコンカバーの１種の形状図である。
【考案を実施するための形態】
【００１０】
本考案を具体的な実施例に合わせてさらに説明する。
【００１１】
図１から図３に示すように、形状変更可能なシリコンカバーは、シリコンカバー３と、シリコンカバー３に設けられる取っ手１および少なくとも１本の形状決めストリップ２（ただし、形状決めストリップ２の材料が銅線、鋼線等の塑性変形可能な材料であってもよい）を備える。ただし、取っ手１は、少なくとも１つの指部１１と、指部１１に接続されて掌状をなす手の平部１２とを有する。各指部１１内には、１本の形状決めストリップ２がそれぞれ設けられる。ただし、何れか１つの指部１１を屈曲するように動かすことにより、その内部の形状決めストリップ２が折り曲げられる（本実施例では、指部１１が５個あり、それ相応に、形状決めストリップ２が６本ある。ただし、１本の形状決めストリップ２が手の平部１２内に位置し、５本の形状決めストリップ２のそれぞれが指部１１内に位置し、且つ指部１１に位置する形状決めストリップ２の端部が手の平部１２に位置する形状決めストリップ２に接続される）。手の平部１２の底部には、接続ボス１３が成形される。シリコンカバー３には、凹部３１が開口される。当該凹部３１は、接続ボス１３に締結係合されて取っ手１をシリコンカバー３に固定する。これにより、取っ手１を用いてシリコンカバー３を持ち上げる。
【００１２】
具体的には、シリコンカバー３には、凹溝３２（凹溝３２の横断面が円形である）が予め開口される。凹溝３２の底面には、取付ボス３３（凹溝３２の底面の中心に取付ボス３３が成形される）が成形される。取付ボス３３には、凹部３１が開口される。当該凹部３１は、接続ボス１３に締結係合されて取っ手１をシリコンカバー３に垂直固定する。接続ボス１３は、第１円柱と第２円柱に分けられる。ただし、第２円柱の直径が第１円柱の直径より大きい。第１円柱が手の平部１２の底部に成形される。他方端に第２円柱が成形される。こうして、第１円柱が凹部３１に入ってから、第２円柱が凹部３１に締結されて取っ手１をシリコンカバー３に固定する。
【００１３】
取っ手１とシリコンカバー３が弾性変形可能であるように、取っ手１とシリコンカバー３の材料は、何れもシリコンである。そして、食品レベルのシリコンを採用して取っ手１およびシリコンカバー３を製造するため、無毒、耐高温、耐低温の特徴がある。さらに、ビスフェノールを含有せず、無毒無害であり、より安全で環境にやさしくなる。シリコンカバー３の底面が滑らかで平坦であるため、異なる規格の容器に適用可能である。
【００１４】
指部１１のそれぞれは、単独で弾性変形してもよいし、同時に弾性変形してもよい。その際、指部１１内に位置する各形状決めストリップ２も従って指部１１とともに変形する。それから、形状決めストリップ２の塑性変形により、弾性変形後の指部１１を形状決めし、弾性変形後の指部１１の自動回復を防止する。これにより、本実施例の取っ手１は、自動回復のない異なる形状を複数作れる。
【００１５】
上述した実施例は、単なる本考案の好適な実施例に過ぎず、本考案のいずれか技術方案に対して制限しない。当業者が本考案の技術案の範囲を逸脱せずに上記技術内容を利用して本考案の技術案に対して行う変更、修飾あるいは補正は、何れも本考案の等価実施例である。故に、本考案の技術案を逸脱しない内容も、本考案の思想に依拠する同等・等価変化も、本考案の保護範囲内に含まれる。
【符号の説明】
【００１６】
１  取っ手
１１  指部
１２  手の平部
１３  接続ボス
２  形状決めストリップ
３  シリコンカバー
３１  凹部
３２  凹溝
３３  取付ボス
【図１】
0003213013.tif 000003
【図２】
0003213013.tif 000004
【図３】
0003213013.tif 000005